(57)【要約】【課題】コンロ不使用時に蓋体を閉じた際、美観が損なわれることもなく、蓋体の上面を調理作業時の作業台として便利に使用することができ、しかも、バーナ天板部の上面に付着した吹きこぼれや煮こぼれなどの汚れも容易、確実に清掃することのできるコンロ。【解決手段】バーナ７に対して備えられるバーナ天板部５と、バーナ天板部５の周りに位置するバーナ枠部３と、バーナ７の上面を覆う揺動自在な蓋体１０とを備えているコンロで、蓋体１０が、平板状の蓋体１０で構成され、蓋体１０を閉じてバーナ７の上面を覆った状態で、バーナ天板部５が下降位置に位置して、蓋体１０が、バーナ枠部３の上面に載置され、蓋体１０を開いてバーナ７の上面を開放した状態で、バーナ天板部５が上昇位置に位置して、バーナ天板部５の上面が、バーナ枠部３の上面と面一になる。【選択図】図１
2011214772.tif 000002
【特許請求の範囲】
【請求項１】
バーナに対して備えられるバーナ天板部と、そのバーナ天板部の周りに位置するバーナ枠部と、前記バーナの上面を覆う揺動自在な蓋体とを備えているコンロであって、
前記蓋体が、平板状の蓋体で構成され、その蓋体を閉じて前記バーナの上面を覆った状態で、前記バーナ天板部が下降位置に位置して、前記蓋体が、前記バーナ枠部の上面に載置され、前記蓋体を開いて前記バーナの上面を開放した状態で、前記バーナ天板部が上昇位置に位置して、そのバーナ天板部の上面が、前記バーナ枠部の上面と面一になるように構成されているコンロ。
【請求項２】
前記バーナ枠部が、前記コンロの本体筐部の上面に設けられ、前記バーナ天板部が、前記本体筐部の内側に位置して上下昇降する内筐の上面に設けられ、前記本体筐部と内筐とが、前記蓋体の開閉操作により前記内筐を上下昇降作動するリンク機構を介して連動連結されている請求項１に記載のコンロ。
【請求項３】
前記リンク機構が、前記バーナ天板部を上下昇降させる昇降用リンク機構と、前記蓋体の開閉操作に連動して前記昇降用リンク機構を作動させる作動用リンク機構により構成されている請求項２に記載のコンロ。
【請求項４】
前記バーナの作動を操作する操作具が、前記バーナ天板部に設けられている請求項１〜３のいずれか１項に記載のコンロ。
【請求項５】
前記バーナ天板部に対して、前記バーナが複数個設けられている請求項１〜４のいずれか１項に記載のコンロ。
【請求項６】
前記バーナ天板部に対して、前記バーナが１個設けられている請求項１〜４のいずれか１項に記載のコンロ。
【請求項７】
前記バーナがガスバーナであって、そのガスバーナへのガスの供給を開閉する開閉弁が設けられ、前記蓋体を閉じると、前記開閉弁が閉じ、前記蓋体を開くと、前記開閉弁が開くように構成されている請求項１〜６のいずれか１項に記載のコンロ。
【発明の詳細な説明】
【技術分野】
【０００１】
本発明は、バーナに対して備えられるバーナ天板部と、そのバーナ天板部の周りに位置するバーナ枠部と、前記バーナの上面を覆う揺動自在な蓋体とを備えているコンロに関する。
【背景技術】
【０００２】
このようなコンロとしては、従来、平板状の蓋体を備え、その蓋体を閉じてバーナの上面を覆った状態で、蓋体がバーナ枠部の上面に載置されるように構成したものが知られている（例えば、特許文献１参照）。
また、蓋体を開いてバーナの上面を開放した状態で、バーナ天板部の上面が、バーナ枠部の上面と面一になるように構成したものも知られている（例えば、特許文献２参照）。
【先行技術文献】
【特許文献】
【０００３】
【特許文献１】特開２００２−３９５４４号公報
【特許文献２】特開２００６−１７７６３３号公報
【発明の概要】
【発明が解決しようとする課題】
【０００４】
上記の特許文献１に記載のコンロでは、蓋体が平板状で、かつ、蓋体を閉じた状態で、蓋体がバーナ枠部の上面に載置されるので、蓋体を閉じた状態で、その蓋体が大きく上方へ膨出することがない。そのため、そのコンロをコンロ台などにビルトインした場合、蓋体を閉じると、蓋体の上面とコンロ台の上面との間に大きな段差が生じることはなく、美観の面から好ましいばかりか、コンロ不使用時に蓋体を閉じることにより、蓋体の上面を調理作業時の作業台として使用するのにも便利である。
しかし、蓋体を開いた状態では、バーナ天板部の上面がバーナ枠部の上面より下方に位置するため、バーナ天板部の上面に付着した吹きこぼれや煮こぼれなどの汚れを清掃する際、その清掃性が悪いという問題がある。
【０００５】
逆に、上記の特許文献２に記載のコンロでは、蓋体を開いた状態で、バーナ天板部の上面がバーナ枠部の上面と面一になるため、吹きこぼれや煮こぼれなどの汚れを清掃する際の清掃性に優れている反面、蓋体が下方に開口した箱状であるため、蓋体を閉じた状態では、その蓋体が大きく上方へ膨出することになり、美観が損なわれるばかりか、蓋体を閉じて蓋体の上面を調理作業時の作業台として使用する際、その利便性に欠けるという問題がある。
すなわち、従来の技術では、コンロ不使用時における蓋体上面での作業性を追求すると、バーナ天板部の清掃性が損なわれ、逆に、バーナ天板部の清掃性を追及すると、蓋体上面での作業性が損なわれるという問題点があった。
【０００６】
本発明は、このような従来の問題点に着目したもので、その目的は、コンロ不使用時に蓋体を閉じた際、美観が損なわれることもなく、その蓋体の上面を調理作業時の作業台として便利に使用することができ、しかも、バーナ天板部の上面に付着した吹きこぼれや煮こぼれなどの汚れも容易、美麗に清掃することのできるコンロを提供することにある。
【課題を解決するための手段】
【０００７】
本発明の第１の特徴構成は、バーナに対して備えられるバーナ天板部と、そのバーナ天板部の周りに位置するバーナ枠部と、前記バーナの上面を覆う揺動自在な蓋体とを備えているコンロであって、前記蓋体が、平板状の蓋体で構成され、その蓋体を閉じて前記バーナの上面を覆った状態で、前記バーナ天板部が下降位置に位置して、前記蓋体が、前記バーナ枠部の上面に載置され、前記蓋体を開いて前記バーナの上面を開放した状態で、前記バーナ天板部が上昇位置に位置して、そのバーナ天板部の上面が、前記バーナ枠部の上面と面一になるように構成されているところにある。
【０００８】
本発明の第１の特徴構成によれば、蓋体が、平板状の蓋体で構成され、その蓋体を閉じてバーナの上面を覆った状態で、バーナ天板部が下降位置に位置して、蓋体が、バーナ枠部の上面に載置されるので、蓋体を閉じた状態で、その蓋体が大きく上方へ膨出することがなく、したがって、コンロをコンロ台などにビルトインした場合、蓋体を閉じると、蓋体の上面とコンロ台の上面との間に大きな段差が生じることはなく、美観の面から好ましいばかりか、コンロ不使用時に蓋体を閉じることにより、蓋体の上面を調理作業時の作業台として便利に使用することができる。
そして、蓋体を開いてバーナの上面を開放した状態で、バーナ天板部が上昇位置に位置して、そのバーナ天板部の上面が、バーナ枠部の上面と面一になるように構成されているので、バーナ天板部の上面に付着した吹きこぼれや煮こぼれなどの汚れを清掃する際、非常に容易、美麗に清掃することができる。
【０００９】
本発明の第２の特徴構成は、前記バーナ枠部が、前記コンロの本体筐部の上面に設けられ、前記バーナ天板部が、前記本体筐部の内側に位置して上下昇降する内筐の上面に設けられ、前記本体筐部と内筐とが、前記蓋体の開閉操作により前記内筐を上下昇降作動するリンク機構を介して連動連結されているところにある。
【００１０】
本発明の第２の特徴構成によれば、バーナ枠部が、コンロの本体筐部の上面に設けられ、バーナ天板部が、本体筐部の内側に位置して上下昇降する内筐の上面に設けられ、本体筐部と内筐とが、蓋体の開閉操作により内筐を上下昇降作動するリンク機構を介して連動連結されているので、人為力によって蓋体を開閉操作するだけで、バーナ天板部が昇降することになり、例えば、電動モータなどを使用してバーナ天板部を昇降させる場合に比べて、構成が簡単で、かつ、安価となる。
【００１１】
本発明の第３の特徴構成は、前記リンク機構が、前記バーナ天板部を上下昇降させる昇降用リンク機構と、前記蓋体の開閉操作に連動して前記昇降用リンク機構を作動させる作動用リンク機構により構成されているところにある。
【００１２】
本発明の第３の特徴構成によれば、前記リンク機構が、バーナ天板部を上下昇降させる昇降用リンク機構と、蓋体の開閉操作に連動して昇降用リンク機構を作動させる作動用リンク機構により構成されているので、蓋体の開閉操作に伴って、作動用リンク機構と昇降用リンク機構が連動してバーナ天板部を確実に昇降させることになる。
【００１３】
本発明の第４の特徴構成は、前記バーナの作動を操作する操作具が、前記バーナ天板部に設けられているところにある。
【００１４】
本発明の第４の特徴構成によれば、バーナの作動を操作する操作具が、バーナ天板部に設けられているので、蓋体を閉じることにより、蓋体によって操作具も覆われて隠れることになり、コンロ不使用時における美観の向上に寄与するばかりか、操作具の不測の誤操作も防止される。
【００１５】
本発明の第５の特徴構成は、前記バーナ天板部に対して、前記バーナが複数個設けられているところにある。
【００１６】
本発明の第５の特徴構成によれば、バーナ天板部に対して、バーナが複数個設けられているので、ひとつの蓋体を開くだけで、複数のバーナが露出することになり、その複数のバーナを効率良く使用して調理することができる。
【００１７】
本発明の第６の特徴構成は、前記バーナ天板部に対して、前記バーナが１個設けられているところにある。
【００１８】
本発明の第６の特徴構成によれば、バーナ天板部に対して、バーナが１個設けられているので、つまり、バーナを１個だけ有するコンロなので、例えば、１台のコンロ台に複数個のコンロをビルトインした場合、使用しないコンロの蓋体を閉じておくことにより、一方でコンロを使用しながら、他方で使用しないコンロの蓋体の上面を調理作業時の作業台として便利に使用することができる。
【００１９】
本発明の第７の特徴構成は、前記バーナがガスバーナであって、そのガスバーナへのガスの供給を開閉する開閉弁が設けられ、前記蓋体を閉じると、前記開閉弁が閉じ、前記蓋体を開くと、前記開閉弁が開くように構成されているところにある。
【００２０】
本発明の第７の特徴構成によれば、バーナがガスバーナであって、そのガスバーナへのガスの供給を開閉する開閉弁が設けられ、蓋体を閉じると、開閉弁が閉じ、蓋体を開くと、開閉弁が開くように構成されているので、コンロ使用時には、ガスを燃料として所望どおりの調理を行うことができ、コンロ不使用時には、蓋体を閉じることにより開閉弁も確実に閉じられる。
【図面の簡単な説明】
【００２１】
【図１】コンロの蓋体を開けた状態の斜視図
【図２】コンロの蓋体を閉めた状態の斜視図
【図３】コンロの蓋体を開けた状態の縦断正面図
【図４】リンク機構の作動用リンク機構側から見た分解斜視図
【図５】リンク機構の昇降用リンク機構側から見た分解斜視図
【図６】コンロの蓋体を開けた状態の縦断側面図
【図７】コンロの蓋体を閉めた状態の縦断側面図
【図８】別実施形態によるコンロの斜視図
【発明を実施するための形態】
【００２２】
本発明によるコンロの実施形態を図面に基づいて説明する。
このコンロは、コンロ台などに掘り込んで使用されるビルトインタイプのコンロで、図１〜図３に示すように、コンロの本体筐部１と、その本体筐部１の内側に位置して、本体筐部１に対して上下方向に昇降自在な内筐２を備えている。
本体筐部１は、その上面に設けられた矩形のバーナ枠部３や本体底板４などを備え、内筐２は、その上面に設けられた矩形のバーナ天板部５や昇降底板６などを備え、内筐２に設けられたバーナ天板部５が、本体筐部１に設けられたバーナ枠部３の開口部とほぼ同じ形状、同じ面積を有して、バーナ枠部３の内側に配設されている。換言すると、矩形のバーナ枠部３が、矩形のバーナ天板部５の周囲に位置している。
【００２３】
本実施形態では、内筐２のバーナ天板部５は、ほぼ平坦な上面を有し、合計３個のガスバーナ７に対して、それらガスバーナ７の周囲を囲うように備えられていて、そのバーナ天板部５の手前側には、各ガスバーナ７の作動を操作する操作具８が設けられ、各ガスバーナ７には、取り外し自在な五徳９が設けられている。
本体筐部１のバーナ枠部３には、熱強化ガラスなどからなる平板状の蓋体１０が配設されて、バーナ枠部３に対して揺動自在に保持され、蓋体１０の裏面には、ガスバーナ７に対応して３個の有底の凹入部１０ａが設けられている。
具体的には、蓋体１０の左右両端部近くに断面コの字状の回動部材１１が取り付けられ、蓋体１０の後方端辺がバーナ枠部３上に載置されるとともに、各回動部材１１がバーナ天板部５に形成されたスリット５ａ内を貫通して回動するように構成され、それによって、蓋体１０が、その後方端辺近傍を揺動中心として、バーナ枠部３に対して揺動自在に保持されている。
【００２４】
本体筐部１と内筐２は、蓋体１０の開閉操作により内筐２を上下昇降作動するリンク機構１２を介して連動連結されていて、内筐２に連設のガイド部材２ａが本体筐部１の内面に近接または摺接しながら、内筐２が本体筐部１に対して上下昇降するように構成されている。
具体的には、図２および図７に示すように、蓋体１０を閉じて（ただし、図２では蓋体１０を仮想線で示している）ガスバーナ７の上面を覆った状態、より詳細には、ガスバーナ７や操作具８を含んで、バーナ天板部５の上方全面を覆った状態で、内筐２に設けられたバーナ天板部５が下降して、本体筐部１に設けられたバーナ枠部３の上面よりも下方の下降位置に位置し、図１および図６に示すように、蓋体１０を開いてガスバーナ７の上面を開放した状態で、バーナ天板部５が上昇して、バーナ天板部５の上面が、バーナ枠部３の上面とほぼ面一になる上昇位置に位置するように構成されている。
この蓋体１０の開閉操作によりバーナ天板部５を昇降させるリンク機構１２は、図４〜図７に示すように、バーナ天板部５を上下昇降させる昇降用リンク機構１２Ａと、蓋体１０の開閉操作に連動して昇降用リンク機構１２Ａを作動させる作動用リンク機構１２Ｂに大別される。
【００２５】
つぎに、図４〜図７に基づいて、昇降用リンク機構１２Ａと作動用リンク機構１２Ｂについて説明する。
ただし、これら両リンク機構１２Ａ、１２Ｂは、コンロの正面に向かって左右にそれぞれ設けられているものの、左右の勝手違いを除いて全く同じ構成なので、一方（コンロの正面に向かって右側）についてのみ説明し、他方については説明を省略する。
昇降用リンク機構１２Ａは、昇降用第１リンク１３と昇降用第２リンク１４を備え、両リンク１３、１４の中間部が連結ピン１５により枢支連結されて、両リンク１３、１４によりＸ型のリンクが形成されている。昇降用第１リンク１３の上端には、第１回転体１６が設けられ、昇降用第２リンク１４の上端には、第２回転体１７が設けられていて、両回転体１６、１７が、内筐２の昇降底板６の下面に取り付けられたガイド部材１８の長孔１８ａに嵌入されている。
【００２６】
ガイド部材１８は、その長手方向をコンロの前後方向に向けて昇降底板６の下面に取り付けられ、他方、本体筐部１の本体底板４の上面には、長手方向をコンロの前後方向に向けてレール部材１９が取り付けられ、そのレール部材１９に沿って前後方向にスライド自在な第１スライダ２０と第２スライダ２１が設けられている。
図５に示すように、第１スライダ２０の側面には、第１ブラケット２０ａが突設され、その第１ブラケット２０ａと昇降用第１リンク１３の下端部とが、第１ピン２２により枢支連結され、第２スライダ２１の側面には、第２ブラケット２１ａが突設され、その第２ブラケット２１ａと昇降用第２リンク１４の下端部とが、第２ピン２３により枢支連結されている。
そして、昇降用第１リンク１３と本体底板４の間には、緩衝用の第１ダンパ２４が介装され、昇降用第２リンク１４と本体底部４の間にも、緩衝用の第２ダンパ２５が介装されている。
【００２７】
作動用リンク機構１２Ｂは、蓋体１０に取り付けられた回動部材１１に対して、第１ピン２６を介して枢支連結された作動用第１リンク２７、および、その作動用第１リンク２７に枢支連結された作動用第２リンク２８と第３リンク２９などを備え、作動用第２リンク２８と第３リンク２９の上端部が、第２ピン３０により枢支連結されるとともに、その第２ピン３０が、作動用第１リンク２７の下端部に設けられた長孔２７ａ内に挿入され、作動用第２リンク２８の下端部が、本体底板４の上面に突設されたブラケット３１に第３ピン３２を介して枢支連結されている。
作動用第３リンク２９の下端部は、第１スライダ２０に立設の柱部材３３から横方向に突設された支持軸３４に対して相対回転自在に連結されている。
【００２８】
第１と第２スライダ２０、２１の前後方向中央位置の外側には、本体底板４から立設のリンク支持部材３５が位置され、そのリンク支持部材３５の上端部には、回動リンク３６が、その長手方向の中央位置を中心として上下に回動するように第４ピン３７を介して枢支連結されている。
その回動リンク３６の一端部には、第５ピン３８を介して作動用第４リンク３９の一端部が枢支連結され、作動用第４リンク３９の他端部が、柱部材３３から突設の支持軸３４に対して相対回転自在に連結されている。
他方、回動リンク３６の他端部には、第６ピン４０を介して作動用第５リンク４１の一端部が枢支連結され、作動用第５リンク４１の他端部が、第２スライダ２１に立設の支持部材４２に第７ピン４３を介して枢支連結されている。
【００２９】
そして、昇降底板６の下面には、図３に示すように、ブラケット４４が取り付けられていて、そのブラケット４４に対して開閉弁作動用第１リンク４５の一端部が第８ピン４６を介して枢支連結され、さらに、その第１リンク４５の他端部には、開閉弁作動用第２リンク４７の一端部が第９ピン４８を介して枢支連結されている。
その開閉弁作動用第２リンク４７の他端部は、各ガスバーナ７へガスを供給するガス供給路に設けられた開閉弁４９を開閉操作する操作軸５０に連結されていて、昇降底板６の昇降に伴って、開閉弁４９を開閉操作するように構成されている。
【００３０】
つぎに、昇降用リンク機構１２Ａと作動用リンク機構１２Ｂにより構成されるリンク機構１２の作動について説明する。
図２および図７に示す蓋体１０を閉じた状態から蓋体１０を開けると、蓋体１０の上方への揺動に伴って、作動用第１リンク２７が上方へ引っ張られ、それに伴って、作動用第２リンク２８が第３ピン３２周りに回動するとともに、第３リンク２９が引っ張られて、第１スライダ２０がレール部材１９に沿って第２スライダ２１側へスライドする。
この第１スライダ２０のスライドに伴って、作動用第４リンク３９を介して回動リンク３６が回動され、その回動リンク３６の回動に伴って、作動用第５リンク４１を介して第２スライダ２１が第１スライダ２０側へ引き寄せられる。
つまり、蓋体１０を開けると、第１スライダ２０と第２スライダ２１が、レール部材１９に沿って互いに近接する方向へスライドする。
【００３１】
両スライダ２０、２１が互いに近接する方向へスライドすると、昇降用第１リンク１３と第２リンク１４により形成されるＸ型のリンクが閉じる方向へ移動し、Ｘ型のリンクの上下高さが高くなる。その結果、内筐２が上方へ持ち上げられて、内筐２に支持されたバーナ天板部５とバーナ７が上昇するとともに、開閉弁作動用第１リンク４５と第２リンク４７を介して操作軸５０が回動されて開閉弁４９が開き、各ガスバーナ７へガスが供給され、操作具８の操作によりガスバーナ７の使用が可能となる。
そして、蓋体１０を開いた状態では、上述したように、バーナ天板部５の上面が、バーナ枠部３の上面とほぼ面一になる上昇位置に位置する。
逆に、蓋体１０を閉じると、開くときと逆の作動によって、第１スライダ２０と第２スライダ２１が互いに離間する方向へスライドし、バーナ天板部５が下降して開閉弁４９が閉じ、上述したように、バーナ天板部５が下降して、バーナ枠部３の上面よりも下方の下降位置に位置し、開閉弁４９が閉じられる。そして、この蓋体１０の閉じ作動においては、第１と第２ダンパ２４、２５の緩衝作用により、蓋体１０がゆっくりと閉じられることになる。
以上のように、蓋体１０を開閉操作することにより、作動用リンク機構１２Ｂと昇降用リンク機構１２Ａからなるリンク機構１２によって内筐２が上下昇降し、それに伴って、バーナ天板部５が上下昇降するのである。
【００３２】
〔別実施形態〕
（１）先の実施形態では、バーナ天板部５に対して合計３個のガスバーナ７を配設した例を示したが、バーナ天板部５に対して配設するガスバーナ７の個数は任意であり、ガスバーナ７を１個だけ設けることも可能である。
その場合には、図８に示すように、１台のコンロ台５１に複数個のコンロをビルトインして使用することになるため、使用しないコンロ（例えば、右側の２個）については蓋体１０を閉じることで、蓋体１０の上面がコンロ台５１の上面とほぼ面一となり、調理作業などを容易、安全に行うことができる。
【００３３】
（２）先の実施形態では、蓋体１０の開閉操作によりバーナ天板部５を昇降させるリンク機構１２を具体的に示したが、リンク機構１２については、その具体例に限定されることなく、種々の改変が可能である。
さらに、機械式のリンク機構１２に限らず、例えば、ラックとピニオンならびに電動モータを使用し、または、シリンダなどを使用して、バーナ天板部５を昇降させるように構成することもでき、また、バーナ７に関しても、特にガスバーナに限るものではない。
【符号の説明】
【００３４】
１        本体筐部
２        内筐
３        バーナ枠部
５        バーナ天板部
７        バーナ
８        操作具
１０      蓋体
１２      リンク機構
１２Ａ    昇降用リンク機構
１２Ｂ    作動用リンク機構
４９      開閉弁
【図１】
2011214772.tif 000003
【図２】
2011214772.tif 000004
【図３】
2011214772.tif 000005
【図４】
2011214772.tif 000006
【図５】
2011214772.tif 000007
【図６】
2011214772.tif 000008
【図７】
2011214772.tif 000009
【図８】
2011214772.tif 000010